【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
内部表面をもつ開口部を有するフレームと；
フレームから突出しており、フレームに取り付けられる第１末端部、及び、オーナメント中の穿孔部へ挿入するように適合される第２自由末端部を有している前記取り付けポスト少なくとも１つと；
を含む装飾オーナメントを取り付けるアレンジメントであって、
オーナメントを取り付けポストへ取り付ける場合に、取り付けポストと開口部の内部表面とによって、オーナメントが保持される、前記アレンジメント。
【請求項２】
第１末端部がフレームへ一体化して取り付けられている、請求項１に記載のアレンジメント。
【請求項３】
開口部の内部表面が連続的な内部表面を含む、請求項１又は２に記載のアレンジメント。
【請求項４】
取り付けポストが軟質の取り付けポストを含む、請求項１〜３のいずれか一項に記載のアレンジメント。
【請求項５】
軟質の取り付けポストが、弾性偏向及び可塑性偏向のうちの１つに適合する、請求項４に記載のアレンジメント。
【請求項６】
オーナメントを取り付けるために、軟質の取り付けポストが、第１ポジションから第２ポジションまでの可塑性偏向へ適合する、請求項４に記載のアレンジメント。
【請求項７】
開口部が平面を規定し、そして、第１ポジションは開口部の前記平面と実質的に平行であり、第２ポジションは開口部の前記平面と実質的に非平行である、請求項６に記載のアレンジメント。
【請求項８】
開口部が、円形開口部、楕円形開口部、多角形開口部、及び三角形開口部のうちの１つを含む、請求項１〜７のいずれか一項に記載のアレンジメント。
【請求項９】
取り付けポスト少なくとも１つが、複数の取り付けポストを含む、請求項１〜８のいずれか一項に記載のアレンジメント。
【請求項１０】
装飾オーナメントが、ビーズ、クリスタル、石、及び宝石のうちの１つを含む、請求項１〜９のいずれか一項に記載のアレンジメント。
【請求項１１】
オーナメントが、隣接したオーナメントによって更に保持される、請求項１〜１０のいずれか一項に記載のアレンジメント。
【請求項１２】
取り付けポスト少なくとも１つが開口部中に突出する、請求項１〜１１のいずれか一項に記載のアレンジメント。
【請求項１３】
オーナメントが軸を含み、そして、前記オーナメントの穿孔部がオーナメントの重心を通過せず、そして、
取り付けポストと開口部の内部表面とによって、オーナメントが保持され、前記オーナメントの軸が垂直方向に対して０度よりも大きな角度をなす、請求項１〜１２のいずれか一項に記載のアレンジメント。
【請求項１４】
内部表面をもつ開口部と、フレームに取り付けられる第１末端部及び第２自由末端部をもつ軟質の取り付けポストと、を有するフレームへ装飾オーナメントを取り付ける方法であって、
第１ポジションから第２ポジションへ取り付けポストを偏向させ；
第２ポジションにおいてオーナメントを取り付けポスト上へ取り付け；
オーナメントを有する取り付けポストを第１ポジションへ偏向させ；そして
取り付けポストと開口部の内部表面とによって、オーナメントを開口部中で保持する、
ことを含む前記方法。
【請求項１５】
偏向させることが、弾性偏向及び可塑性偏向のうちの１つを含む、請求項１４に記載の方法。
【請求項１６】
開口部が平面を規定し、そして、第１ポジションにおいて、取り付けポストは開口部の前記平面に対して実質的に平行であり、第２ポジションにおいて、取り付けポストは開口部の前記平面に対して実質的に非平行である、請求項１４又は１５に記載の方法。
【請求項１７】
第１ポジションから第２ポジションへの取り付けポストの偏向が、取り付けポストが開口部の平面に対して少なくとも５度の角度をなすように、取り付けポストを可塑的に偏向させることを含む、請求項１４に記載の方法。
【請求項１８】
隣接したオーナメントとの接触によって、オーナメントを開口部中で保持することを更に含む、請求項１４〜１７のいずれか一項に記載の方法。
【請求項１９】
内部表面をもつ開口部少なくとも１つを有するフレームと；
フレームから突出しており、フレームに取り付けられる第１末端部、及び、オーナメント中の穿孔部へ挿入するように適合される第２自由末端部を有している前記取り付けポスト少なくとも１つと；
を含むオーナメント固定具であって、
オーナメントを取り付けポスト少なくとも１つへ取り付ける場合に、取り付けポスト少なくとも１つと開口部少なくとも１つの内部表面とによって、オーナメントを保持する、前記オーナメント固定具。
【請求項２０】
取り付けポスト少なくとも１つが、オーナメントを取り付けるために、第１ポジションから第２ポジションまでの偏向へ適合している取り付けポストを含む、請求項１９に記載のオーナメント固定具。
【請求項２１】
開口部少なくとも１つが平面を規定し、そして、第１ポジションは開口部の前記平面に対して実質的に平行であり、第２ポジションは開口部の前記平面に対して実質的に非平行である、請求項２０に記載のオーナメント固定具。
【請求項２２】
開口部少なくとも１つが複数の開口部を含み、そして、取り付けポスト少なくとも１つが、複数の取り付けポストを含む、請求項１９〜２１のいずれか一項に記載のオーナメント固定具。
【請求項２３】
オーナメント固定具が、照明固定具を含む、請求項１９〜２２のいずれか一項に記載のオーナメント固定具。
【請求項２４】
照明固定具が、シャンデリア、ランプ、及び、壁付燭台のうちの１つを含む、請求項２３に記載の前記オーナメント固定具。
【請求項２５】
前記オーナメントが、隣接したオーナメントによって更に保持される、請求項１９〜２４のいずれか一項に記載のオーナメント固定具。
【請求項２６】
取り付けポスト少なくとも１つが開口部中に突出する、請求項１９〜２５のいずれか一項に記載のオーナメント固定具。
【請求項２７】
オーナメントが軸を含み、そして、前記オーナメントの穿孔部がオーナメントの重心を通過せず、そして、
取り付けポストと開口部の内部表面とによって、オーナメントが保持され、前記オーナメントの軸が垂直方向に対して０度よりも大きな角度をなす、請求項１９〜２６のいずれか一項に記載のオーナメント固定具。
【請求項２８】
オーナメントの重心を通過していない取り付け孔と軸とを有する装飾オーナメントを取り付けるアレンジメントであって、
表面及び開口部を有するフレームと；そして
フレームから突出しており、フレームに取り付けられる第１末端部、及び、オーナメントの取り付け孔へ挿入するように適合される第２自由末端部を有している取り付けポスト少なくとも１つと；
を含んでおり、
前記オーナメントを取り付けポストに取り付ける場合に、オーナメントの軸が、垂直方向に対して０度より大きい角度をなす、前記アレンジメント。
【請求項２９】
オーナメントの軸が、垂直方向に対して５度より大きい角度をなす、請求項２８に記載のアレンジメント。
【請求項３０】
垂直方向に対して角度Φをなす線をフレームの表面が規定し、オーナメントの軸が垂直方向に対して角度Θをなし、そして、角度Θは角度Φとほとんど等しい、請求項２８又は２９に記載のアレンジメント。
【請求項３１】
垂直方向に対して角度Φをなす線をフレームの表面が規定し、オーナメントの軸が垂直方向に対して角度Θをなし、そして、角度Θは角度Φと等しくない、請求項２８〜３０のいずれか一項に記載のアレンジメント。
【請求項３２】
取り付けポスト少なくとも１つがフレームに取り付けられる第１末端部、及び、第２自由末端部を含む、請求項２８〜３１のいずれか一項に記載のアレンジメント。
【請求項３３】
各々のオーナメントが、重心とオーナメントの重心を通過しない穿孔部少なくとも１つとを有している、装飾オーナメントを取り付けるアレンジメントであって、
内部表面をもつ開口部複数個を有するフレームと；
オーナメント少なくとも１つの穿孔部へ挿入するように適合される取り付けポスト少なくとも１つと；
を有しており、
オーナメントを取り付けポストへ取り付ける場合、取り付けポスト少なくとも１つと開口部の内部表面少なくとも１つとによって、取り付けポストに対して実質的に垂直である予め定めた配向へオーナメントを保持する、前記アレンジメント。
【請求項３４】
少なくとも１つの取り付けポストが、フレームへ一体化して取り付けられている取り付けポスト少なくとも１つと、フレームへ一体化しないで取り付けられている取り付けポスト少なくとも１つとのうちの１つである、請求項３３に記載のアレンジメント。
【請求項３５】
開口部の内部表面が、連続的な内部表面を含む、請求項３３又は３４に記載のアレンジメント。
【請求項３６】
オーナメントが、隣接したオーナメントによって更に保持される、請求項３３〜３５のいずれか一項に記載のアレンジメント。
【請求項３７】
開口部が、円形開口部、楕円形開口部、多角形開口部、及び三角形開口部のうちの１つを含む、請求項３３〜３６のいずれか一項に記載のアレンジメント。
【請求項３８】
装飾オーナメントが、ビーズ、クリスタル、石、及び宝石のうちの少なくとも１つを含む、請求項３３〜３７のいずれか一項に記載のアレンジメント。
【請求項３９】
取り付けポストが、ワイヤー及びピンのうちの１つを含む、請求項３３〜３８のいずれか一項に記載のアレンジメント。
【請求項４０】
オーナメントの各々を、フレーム中の複数の開口部の各々の中で保持する、請求項３３〜３９のいずれか一項に記載のアレンジメント。
【請求項４１】
重心とオーナメントの重心を通過しない穿孔部少なくとも１つとを有している穿孔されたオーナメントを取り付ける固定具であって、
内部表面をもつ開口部複数個を有するフレームと；
穿孔されたオーナメントの穿孔部少なくとも１つへ挿入するように適合される、フレームへ取り付けられる取り付けポスト少なくとも１つと；
を有しており、
オーナメントを取り付けポストへ取り付ける場合、取り付けポスト少なくとも１つと開口部の内部表面とによって、取り付けポストに対して実質的に垂直である予め定めた配向へオーナメントを複数の開口部中で保持する、前記固定具。
【請求項４２】
取り付けポスト少なくとも１つが、複数の取り付けポストを含む、請求項４１に記載の固定具。
【請求項４３】
照明固定具を含む、請求項４１又は４２に記載の固定具。
【請求項４４】
照明固定具が、シャンデリア、ランプ、及び、壁付燭台を含む、請求項４３に記載の固定具。
【請求項４５】
オーナメントが、隣接したオーナメントによって更に保持される、請求項４１〜４４のいずれか一項に記載の固定具。
【請求項４６】
フレームが、実質的に平坦なフレーム、実質的に円筒状なフレーム、曲線状フレーム、球状フレーム、ピラミッド形状フレーム、及び、多角形状フレームのうちの１つを含む、請求項４１〜４５のいずれか一項に記載の固定具。
【請求項４７】
取り付けポスト少なくとも１つがフレームへ剛性的に取り付けられる、請求項４１〜４６のいずれか一項に記載の固定具。
【請求項４８】
取り付けポスト少なくとも１つが、ワイヤー少なくとも１つと、ピン少なくとも１つとのうちの１つを含む、請求項４１〜４７のいずれか一項に記載の固定具。
【請求項４９】
オーナメントの各々を、フレーム中の複数の開口部の各々の中で保持する、請求項４１〜４８のいずれか一項に記載の固定具。
【請求項５０】
穿孔された装飾オーナメントの複数個を、内部表面をもつ開口部複数個を有するフレームへ取り付ける方法であって：
フレームの第１サイド上での開口部複数個の中へ、オーナメント複数個を配置し、ここでオーナメント穿孔部は第１サイドと対向するフレームの第２サイドから接近可能であるものとする；
細長い要素少なくとも１つをフレームの第２サイド上のオーナメント穿孔部複数個へ通過させ；そして、
細長い要素少なくとも１つと開口部の内部表面とによって、開口部複数個のうちの１つにおいて複数のオーナメントの各々を保持する；
ことを含む、前記方法。
【請求項５１】
細長い要素少なくとも１つが、第１末端部及び第２末端部を含み、そして、細長い要素少なくとも１つをオーナメント穿孔部の複数個へ通過させた後で、第１末端部と第２末端部とを結合させる、請求項５０に記載の方法。
【請求項５２】
結合が、一緒にねじること及び融合させることを含む、請求項５０又は５１に記載の方法。
【請求項５３】
結合された末端部をフレームへ結合させることを更に含む、請求項５０〜５２のいずれか一項に記載の方法。
【請求項５４】
隣接したオーナメントと接触させることによって、オーナメントを開口部中で更に保持することを含む、請求項５０〜５３のいずれか一項に記載の方法。
【請求項５５】
細長い要素少なくとも１つを通過させることが、ワイヤー１つを通過させることを含む、請求項５０〜５４のいずれか一項に記載の方法。
【請求項５６】
細長い要素少なくとも１つが、ワイヤー、ロッド、ピン、ストリング、及び、コードのうち少なくとも１つを含む、請求項５０〜５５のいずれか一項に記載の方法。
【請求項５７】
オーナメント複数個を複数の開口部中に配置することが、オーナメント多くとも１つを複数の開口部の各々の中に配置することを含む、請求項５０〜５６のいずれか一項に記載の方法。
【請求項５８】
細長い要素少なくとも１つを、複数のオーナメント穿孔部へ通過させることが、複数の細長い要素を通過させることを含む、請求項５０〜５７のいずれか一項に記載の方法。
【請求項５９】
開口部複数個を有するフレームと；
開口部複数個中に取り付けられている複数のオーナメントと；
フレームに取り付けられており、そして、フレームに取り付けられる第１末端部、及び、オーナメント複数個の穿孔部少なくとも１つへ挿入するように適合される第２自由末端部を有している取り付けポスト少なくとも１つと；そして、
オーナメント複数個のうちの少なくとも数個を照射するように適合される照明と；
を含む装飾オーナメントを有する照明固定具であって、
各々のオーナメントの軸が取り付けポストに対して実質的に垂直である予め定めた配向へ、取り付けポスト少なくとも１つによってオーナメントを複数の開口部中に保持する、前記照明固定具。
【請求項６０】
フレームが、実質的に平坦なフレーム、実質的に円筒形のフレーム、湾曲したフレーム、球状フレーム、ピラミッド形状のフレーム、及び多面体フレームを含む、請求項５９に記載の照明固定具。
【請求項６１】
フレームが、細長い要素少なくとも１つから懸架される平坦なフレームを含む、請求項５９又は６０に記載の照明固定具。
【請求項６２】
細長い要素少なくとも１つが、チェーン、コード、ロープ、ワイヤー、ストリング、ポスト、及び、ロッドのうち少なくとも１つを含む、請求項５９〜６１のいずれか一項に記載の照明固定具。
【請求項６３】
細長い要素少なくとも１つが、ボールチェーン少なくとも１つを含む、請求項５９〜６２のいずれか一項に記載の照明固定具。
【請求項６４】
照明固定具が、凹型照明固定具を含む、請求項５９〜６３のいずれか一項に記載の照明固定具。
【請求項６５】
照明固定具が、シャンデリア、ランプ、スポットライト、及び、壁付燭台のうちの１つを含む、請求項５９〜６４のいずれか一項に記載の照明固定具。
【請求項６６】
照明固定具が、照準可能な照明固定具を含む、請求項５９〜６５のいずれか一項に記載の照明固定具。
【請求項６７】
取り付けポスト少なくとも１つが、ワイヤー少なくとも１つと、ピン少なくとも１つとのうちの１つを含む、請求項５９〜６６のいずれか一項に記載の照明固定具。
【請求項６８】
オーナメント複数個の各々を、フレーム中の開口部複数個の各々の中で保持する、請求項５９〜６７のいずれか一項に記載の照明固定具。
【請求項６９】
内部表面をもつ開口部複数個を有するフレームへ、穿孔された装飾オーナメント複数個を取り付ける方法であって：
複数の取り付けポストをフレームへ取り付け、ここで、各々の取り付けポストは、フレームに取り付けられる第１末端部、及び、第２自由末端部を含み、そして、複数の開口部少なくとも１つにわたって突出しており；
穿孔された装飾オーナメント少なくとも１つを、穿孔部によって、複数の取り付けポスト少なくとも１つへ取り付け；そして
取り付けポスト少なくとも１つと開口部の内部表面少なくとも１つとによって、穿孔された装飾オーナメント少なくとも１つを、開口部の各々の中で保持する、
ことを含む前記方法。
【請求項７０】
穿孔された装飾オーナメント少なくとも１つの取り付けが：
複数の取り付けポストの少なくとも１つを第１ポジションから第２ポジションへ偏向させ；
穿孔された装飾オーナメント少なくとも１つを第２ポジションにおける取り付けポスト少なくとも１つへ取り付け；そして
オーナメントを有する取り付けポスト少なくとも１つを第１ポジションへ偏向させる、
ことを含む、請求項６９に記載の方法。
【請求項７１】
複数の開口部が表面を規定し、そして、第１ポジションにおいて、複数の取り付けポストが前記表面に対して実質的に平行であり、第２ポジションにおいて、複数の取り付けポストが前記表面に対して実質的に非平行である、請求項６９又は７０に記載の方法。
【請求項７２】
複数の取り付けポストのうち少なくとも１つを第１ポジションから第２ポジションへの偏向させることが、複数の取り付けポストのうちの少なくとも１つが前記表面に対して少なくとも５度の角度をなすように、複数の取り付けポストのうちの少なくとも１つを偏向させることを含む、請求項６９〜７１のいずれか一項に記載の方法。
【請求項７３】
複数の取り付けポストの取り付けが、複数の取り付けポストを溶接すること、及び接着することのうちの１つを含む、請求項６９〜７２のいずれか一項に記載の方法。
【請求項７４】
取り付けポストが金属製及び非金属製フィラメントのうちの１つを含む、請求項６９〜７３のいずれか一項に記載の方法。
【請求項７５】
複数の取り付けポストの取り付けが、ワイヤー複数個及びピン複数個のうちの１つを取り付けることを含む、請求項６９〜７４のいずれか一項に記載の方法。